(57)【要約】【課題】見栄えが良好で、より意匠性が向上した建具を提供すること。【解決手段】枠体２の屋内側に樹脂製のアングル部材５を備えた建具１であって、アングル部材５及び枠体２のうちの一方は、枠体２の延び方向に沿う差し込み部５０２、２０１を有し、アングル部材５及び枠体２のうちの他方は、差し込み部５０２を嵌合可能な挿入溝部２６、５０８を有し、アングル部材５は、差し込み部５０２、２０１と挿入溝部２６、５０８との嵌合により、枠体２に取り付けられている。差し込み部５０２、２０１及び挿入溝部２６、５０８は、枠体２の延び方向に沿って連続して設けられていることが好ましい。【選択図】図１
2019178535.tif 000002
【特許請求の範囲】
【請求項１】
枠体の屋内側に樹脂製のアングル部材を備えた建具であって、
前記アングル部材及び前記枠体のうちの一方は、前記枠体の延び方向に沿う差し込み部を有し、
前記アングル部材及び前記枠体のうちの他方は、前記差し込み部を嵌合可能な挿入溝部を有し、
前記アングル部材は、前記差し込み部と前記挿入溝部との嵌合により、前記枠体に取り付けられている、建具。
【請求項２】
前記差し込み部及び前記挿入溝部は、前記枠体の延び方向に沿って連続して設けられている、請求項１に記載の建具。
【請求項３】
前記枠体は、縦枠と横枠とを備え、
前記アングル部材は、前記縦枠に取り付けられる縦側アングル部材と、前記横枠に取り付けられる横側アングル部材とを備え、
前記縦側アングル部材の長手方向の端部と前記横側アングル部材の長手方向の端部とは、両者の間に所定の隙間をあけて配置されている、請求項１又は２に記載の建具。
【請求項４】
前記縦側アングル部材及び前記横側アングル部材のそれぞれの前記端部は、長手方向に長い切り欠き部又は長手方向に長い長穴を有し、
前記縦側アングル部材の長手方向の端部と前記横側アングル部材の長手方向の端部とを覆うコーナー部材を備え、
前記コーナー部材は、前記切り欠き部又は前記長穴を通して前記縦側アングル部材及び前記横側アングル部材のそれぞれの前記端部を躯体にネジ留めするためのネジ穴を有する基部と、前記基部に対して覆うように嵌合するカバー部と、を備える、請求項３に記載の建具。
【請求項５】
前記基部の裏面は、前記切り欠き部又は前記長穴に係合する係合突起を有する、請求項４に記載の建具。
【請求項６】
前記基部は、前記縦側アングル部材及び前記横側アングル部材のうちの一方の前記端部に当接する第１部分と、前記縦側アングル部材及び前記横側アングル部材のうちの他方の前記端部に当接する第２部分と、前記第１部分と前記第２部分とを任意の角度で折り曲げ可能に連結する連結部と、を備える、請求項４又は５に記載の建具。
【請求項７】
前記縦側アングル部材の前記端部をネジ留めする前記ネジ穴の周囲の座面と、前記横側アングル部材の前記端部をネジ留めする前記ネジ穴の周囲の座面とは、互いに相反する方向に傾斜している、請求項４〜６のいずれか１項に記載の建具。
【請求項８】
前記カバー部は、前記縦側アングル部材の表面の幅方向に亘って当接し、前記縦側アングル部材の表面を流下した結露水を屋外側に排水する傾斜壁部を有する、請求項４〜７のいずれか１項に記載の建具。
【請求項９】
前記切り欠き部又は前記長穴は、前記縦側アングル部材及び前記横側アングル部材の幅方向の中央部よりも屋内側に片寄って配置されている、請求項４〜８のいずれか１項に記載の建具。
【発明の詳細な説明】
【技術分野】
【０００１】
本発明は、枠体の屋内側に樹脂製のアングル部材を備えた建具に関する。
【背景技術】
【０００２】
従来、枠体の屋内側に樹脂製のアングル部材を備えた建具が知られている（例えば、特許文献１参照）。この従来の建具は、アングル部材を、躯体（額縁部材）に対して、アングル部材の表面から直接ネジ留めしている。
【先行技術文献】
【特許文献】
【０００３】
【特許文献１】特開２０１６−２１１２５５号公報
【発明の概要】
【発明が解決しようとする課題】
【０００４】
従来の建具は、アングル部材の表面から躯体に対して直接ネジ留めするため、ネジの頭部がアングル部材の表面に露出する問題があった。
【０００５】
そこで、本発明は、アングル部材の見栄えが良好で、より意匠性が向上した建具を提供することを目的とする。
【課題を解決するための手段】
【０００６】
（１）  本発明に係る建具は、枠体（例えば、後述する枠体２）の屋内側に樹脂製のアングル部材（例えば、後述するアングル部材５）を備えた建具（例えば、後述する建具１）であって、前記アングル部材及び前記枠体のうちの一方は、前記枠体の延び方向に沿う差し込み部（例えば、後述する差し込み部５０２、２０１）を有し、前記アングル部材及び前記枠体のうちの他方は、前記差し込み部を嵌合可能な挿入溝部（例えば、後述する挿入溝部２６、５０８）を有し、前記アングル部材は、前記差し込み部と前記挿入溝部との嵌合により、前記枠体に取り付けられている。
【０００７】
（２）  （１）に記載の建具において、前記差し込み部及び前記挿入溝部は、前記枠体の延び方向に沿って連続して設けられていることが好ましい。
【０００８】
（３）  （１）又は（２）に記載の建具において、前記枠体は、縦枠（例えば、後述の縦枠２３、２４）と横枠（例えば、後述の上横枠２１、下横枠２２）とを備え、前記アングル部材は、前記縦枠に取り付けられる縦側アングル部材（例えば、後述の縦側アングル部材５３、５４）と、前記横枠に取り付けられる横側アングル部材（例えば、後述の横側アングル部材５１、５２）とを備え、前記縦側アングル部材の長手方向の端部（例えば、後述の端部５ａ）と前記横側アングル部材の長手方向の端部（例えば、後述の端部５ａ）とは、両者の間に所定の隙間（例えば、隙間Ｓ）をあけて配置されていることが好ましい。
【０００９】
（４）  （３）に記載の建具において、前記縦側アングル部材及び前記横側アングル部材のそれぞれの前記端部は、長手方向に長い切り欠き部（例えば、後述の切り欠き部５０３）又は長手方向に長い長穴（例えば、後述の長穴５０７）を有し、前記縦側アングル部材の長手方向の端部と前記横側アングル部材の長手方向の端部とを覆うコーナー部材（例えば、後述のコーナー部材６）を備え、前記コーナー部材は、前記切り欠き部又は前記長穴を通して前記縦側アングル部材及び前記横側アングル部材のそれぞれの前記端部を躯体（例えば、後述の額縁部材Ｇ）にネジ留めするためのネジ穴（例えば、後述のネジ穴６１４）を有する基部（例えば、後述の基部６１）と、前記基部に対して覆うように嵌合するカバー部（例えば、後述のカバー部６２）と、を備えることが好ましい。
【００１０】
（５）  （４）に記載の建具において、前記基部の裏面（例えば、後述の裏面６１１ｂ、６１２ｂ）は、前記切り欠き部又は前記長穴に係合する係合突起（例えば、後述の係合突起６１６）を有することが好ましい。
【００１１】
（６）  （４）又は（５）に記載の建具において、前記基部は、前記縦側アングル部材及び前記横側アングル部材のうちの一方の前記端部に当接する第１部分（例えば、後述の第１部分６１１）と、前記縦側アングル部材及び前記横側アングル部材のうちの他方の前記端部に当接する第２部分（例えば、後述の第２部分６１２）と、前記第１部分と前記第２部分とを任意の角度で折り曲げ可能に連結する連結部（例えば、後述の連結部６１３）と、を備えることが好ましい。
【００１２】
（７）  （４）〜（６）のいずれかに記載の建具において、前記縦側アングル部材の前記端部をネジ留めする前記ネジ穴の周囲の座面（例えば、後述の座面６１５）と、前記横側アングル部材の前記端部をネジ留めする前記ネジ穴の周囲の座面（例えば、後述の座面６１５）とは、互いに相反する方向に傾斜していることが好ましい。
【００１３】
（８）  （４）〜（７）のいずれかに記載の建具において、前記カバー部は、前記縦側アングル部材の表面（例えば、後述の表面５ｃ）の幅方向に亘って当接し、前記縦側アングル部材の表面を流下した結露水を屋外側に排水する傾斜壁部（例えば、後述の傾斜壁部６２５）を有することが好ましい。
【００１４】
（９）  （４）〜（８）のいずれかに記載の建具において、前記切り欠き部又は前記長穴は、前記縦側アングル部材及び前記横側アングル部材の幅方向の中央部よりも屋内側に片寄って配置されていることが好ましい。
【発明の効果】
【００１５】
本発明によれば、アングル部材の見栄えが良好で、より意匠性が向上した建具を提供することができる。
【図面の簡単な説明】
【００１６】
【図１】本発明の一実施形態に係る建具の縦断面図である。
【図２】本発明の一実施形態に係る建具の横断面図である。
【図３】図１に示す建具の上側の拡大断面図である。
【図４】図１に示す建具の下側の拡大断面図である。
【図５】図２に示す建具の一方の縦枠側の拡大断面図である。
【図６Ａ】本発明の一実施形態に係る建具の屋内側の上横枠と縦枠との交差部位を示す拡大して示す図である。
【図６Ｂ】本発明の一実施形態に係る建具の屋内側の下横枠と対枠との交差部位を拡大して示す図である。
【図７】一実施形態に係るアングル部材の斜視図である。
【図８Ａ】アングル部材を取り外した状態の建具の上横枠と縦枠との交差部位を拡大して示す図である。
【図８Ｂ】アングル部材を取り外した建具の下横枠と縦枠との交差部位を拡大して示す図である。
【図９Ａ】アングル部材を挿入溝部に嵌合させた状態の上横枠と縦枠との交差部位を拡大して示す図である。
【図９Ｂ】アングル部材を挿入溝部に嵌合させた状態の下横枠と縦枠との交差部位を拡大して示す図である。
【図１０Ａ】コーナー部材の基部を表面側から見た斜視図である。
【図１０Ｂ】コーナー部材の基部を裏面側から見た斜視図である。
【図１１】図１０Ａ中のＡ−Ａ線に沿う断面図である。
【図１２】カバー部を屋内側且つ表面側から見た斜視図である。
【図１３】図１２に示すカバー部をＢ方向から見た拡大図である。
【図１４】図１２に示すカバー部をＣ方向から見た拡大図である。
【図１５】図１４中のＤ−Ｄ線に沿う断面図である。
【図１６】隣り合う横側アングル部材と縦側アングル部材とをコーナー部材を用いて取り付けする様子を示す図である。
【図１７】コーナー部材の基部をネジ留めした状態を示す断面図である。
【図１８】枠体の四隅の基部にカバー部を嵌合させる様子を屋内側から見た図である。
【図１９Ａ】下横枠側に配置される横側アングル部材と一方の縦側アングル部材との間に配置されるコーナー部材のカバー部を示す図である。
【図１９Ｂ】下横枠側に配置される横側アングル部材と他方の縦側アングル部材との間に配置されるコーナー部材のカバー部を示す図である。
【図２０】アングル部材の他の実施形態を示す斜視図である。
【図２１】アングル部材が挿入溝部を有し、枠体が差し込み部を有する例を示す図である。
【発明を実施するための形態】
【００１７】
以下、本発明の一実施形態について、図面を参照して詳しく説明する。
図１は、本発明の一実施形態に係る建具の縦断面図である。図２は、本発明の一実施形態に係る建具の横断面図である。図３は、図１に示す建具の上側の拡大縦断面図である。図４は、図１に示す建具の下側の拡大縦断面図である。図５は、図２に示す建具の一方の縦枠側の拡大横断面図である。図６Ａは、本発明の一実施形態に係る建具の屋内側の上横枠と縦枠との交差部位を示す拡大して示す図である。図６Ｂは、本発明の一実施形態に係る建具の屋内側の下横枠と縦枠との交差部位を拡大して示す図である。
本実施形態の建具１は、建物の壁に形成された開口部（図示せず）に取り付けられる枠体２と、枠体２に開閉可能に納められた障子３と、障子３の屋内側に張設された網戸４と、枠体２の屋内側に突出して配置されるアングル部材５と、を備えている。本実施形態の建具１は、障子３が枠体２に対して屋外側に開閉するように構成される開き窓を例示している。
【００１８】
建具１は、アルミ等の金属と塩化ビニル等の樹脂とからなる枠体２を有する複合型の建具であり、断熱性に優れる。即ち、枠体２は、上横枠２１、下横枠２２及び左右の縦枠２３、２４によって矩形状に枠組みされて形成されている。上横枠２１、下横枠２２及び縦枠２３、２４は、障子３が開閉可能に取り付けられる金属上横枠２１１、金属下横枠２２１及び金属縦枠２３１、２４１と、網戸４が張設される樹脂上横枠２１２、樹脂下横枠２２２及び樹脂縦枠２３２、２４２とでそれぞれ構成されている。金属上横枠２１１及び金属下横枠２２１は、枠体２の横方向の全長に亘って延びている。樹脂上横枠２１２及び樹脂下横枠２２２は、金属上横枠２１１及び金属下横枠２２１の内側且つ屋内側にそれぞれ装着されている。
【００１９】
一方、金属縦枠２３１、２４１は、金属上横枠２１１と金属下横枠２２１との間に亘って設けられている。樹脂縦枠２３２、２４２は、金属縦枠２３１、２４１の内側且つ屋内側にそれぞれ装着され、金属縦枠２３１、２４１と同様に、樹脂上横枠２１２と樹脂下横枠２２２との間に亘って延びている。
【００２０】
障子３は、上框３１、下框３２及び縦框３３、３４によって複層ガラス３５を支持し、枠体２に対して、上框３１及び下框３２の一方端部に設けられる回動軸（図示せず）を中心に回動可能に取り付けられている。これにより、障子３は、屋外側に向けて開放され、又は、屋内側に向けて収納される。
【００２１】
網戸４は、矩形状の網部４１と、その網部４１の四周にそれぞれ配置される縁部材４２と、を有している。樹脂上横枠２１２、樹脂下横枠２２２及び樹脂縦枠２３２、２４２のそれぞれの見込み面２１２ａ、２２２ａ、２３２ａ、２４２ａには、網戸４の各縁部材４２を嵌合させる嵌合溝２５が形成されている。網戸４は、各縁部材４２がそれぞれ嵌合溝２５内に嵌合して取り付けられることにより、樹脂上横枠２１２、樹脂下横枠２２２及び樹脂縦枠２３２、２４２に亘って着脱可能に張設されている。
【００２２】
アングル部材５は、枠体２の屋内側の四周に、枠体２とは別体の部材として取り付けられている。アングル部材５は、上横枠２１及び下横枠２２にそれぞれ取り付けられる横側アングル部材５１、５２と、縦枠２３、２４にそれぞれ取り付けられる縦側アングル部材５３、５４との４つの独立したアングル部材からなる。アングル部材５は、建具１の屋内側の四周に亘る躯体を構成する額縁部材Ｇの屋外側縁部Ｇ１をそれぞれ覆っている。横側アングル部材５１、５２と縦側アングル部材５３、５４との間のコーナー部には、図６Ａ、図６Ｂに示すように、それぞれコーナー部材６が配置されている。
【００２３】
本実施形態の横側アングル部材５１、５２及び縦側アングル部材５３、５４は、長さの違いを有する以外、実質的に同じ構造を有するので、１つのアングル部材５の構造について、図７を用いて説明する。図７は、本発明の一実施形態に係るアングル部材５の斜視図である。
アングル部材５は、それぞれ枠体２の延び方向に沿う所定幅の長尺な帯状のアングル部材本体５０１と差し込み部５０２とが、塩化ビニル等の樹脂によって一体に成形されることにより、断面略Ｌ字型に構成されている。アングル部材本体５０１は、枠体２から屋内側に向けて略垂直に突出し、額縁部材Ｇの屋外側縁部Ｇ１の内周面を覆う部位である。差し込み部５０２は、アングル部材本体５０１の幅方向の屋外側の近傍から、アングル部材本体５０１に対して略垂直方向（額縁部材Ｇの厚み方向）に延びている。差し込み部５０２は、枠体２に形成された後述する挿入溝部２６に挿入されることにより、アングル部材５を枠体２に取り付けるための部位である。
【００２４】
アングル部材５の長手方向の両端部５ａ、５ａは、それぞれ長手方向に沿って長く延びる切り欠き部５０３、５０３を有している。切り欠き部５０３は、アングル部材本体５０１の幅方向の中央部よりも屋内側（差し込み部５０２から遠い側）に偏って配置されている。
【００２５】
アングル部材本体５０１の裏面には、両面テープ５０４が設けられている。この両面テープ５０４は、本発明において必須ではないが、好ましく用いられる。両面テープ５０４は、予め額縁部材Ｇ側に設けられていてもよい。
【００２６】
枠体２の屋内側には、アングル部材５の差し込み部５０２を嵌合可能な挿入溝部２６が形成されている。本実施形態の挿入溝部２６は断面Ｕ字型に形成されているが、特にＵ字型に限定されるものではない。挿入溝部２６は、金属上横枠２１１に設けられる上側挿入溝部２６１と、金属下横枠２２１に設けられる下側挿入溝部２６２と、樹脂縦枠２３２、２４２に設けられる縦側挿入溝部２６３、２６４とで構成されている。
【００２７】
この挿入溝部２６の詳細について、更に図８Ａ、図８Ｂを用いて説明する。図８Ａは、アングル部材５を取り外した状態の建具１の上横枠２１と縦枠２４との交差部位を拡大して示す図であり、図８Ｂは、アングル部材５を取り外した建具１の下横枠２２と縦枠２３との交差部位を拡大して示す図である。説明を容易にするため、額縁部材Ｇの図示は省略した。また、建具１の上横枠２１と縦枠２３との交差部位及び下横枠２２と縦枠２４との交差部位も同様に現れるため図示を省略する。
図８Ａに示すように、上側挿入溝部２６１は、金属上横枠２１１の屋内側の端部に、下向きに開口するように金属により一体に形成され、金属上横枠２１１の延び方向（枠体２の横方向）に沿って、金属上横枠２１１の全長に亘って連続して延びている。また、図８Ｂに示すように、下側挿入溝部２６２は、金属下横枠２２１の屋内側の端部に、上向きに開口するように金属により一体に形成され、金属下横枠２２１の延び方向（枠体２の横方向）に沿って、金属下横枠２２１の全長に亘って連続して延びている。
【００２８】
縦側挿入溝部２６３、２６４は、樹脂縦枠２３２、２４２の屋内側の端部に、それぞれ内向きに開口するように樹脂により一体に形成され、樹脂縦枠２３２、２４２の延び方向（枠体２の縦方向）に沿って延びている。
【００２９】
各アングル部材５は、差し込み部５０２が挿入溝部２６内に挿入されて嵌合することにより取り付けられている。これにより、額縁部材Ｇの四周の屋外側縁部Ｇ１は、それぞれアングル部材５により覆われる。挿入溝部２６は、いずれも枠体２の縦横の延び方向に沿って連続しているため、熱の影響によりアングル部材５に長手方向の伸縮移動が生じても、その伸縮移動が阻害されることがない。従って、熱の影響による伸縮移動が阻害されることによりアングル部材５が挿入溝部２６から浮き上がることを防止でき、挿入溝部２６に対するアングル部材５の嵌合状態を維持することができる。
【００３０】
アングル部材５の差し込み部５０２の先端部には、図７に示すように、長手方向に亘る係止突条５０５が形成されている。アングル部材５（縦側アングル部材５３、５４）は、この係止突条５０５が、樹脂からなる縦側挿入溝部２６３、２６４の内面に形成されている複数の凸条部２６ａと係合することにより、縦側挿入溝部２６３、２６４との嵌合状態が保持されるようになっている（図５参照）。また、差し込み部５０２の少なくとも一方側面には、軟質の塩化ビニル等の樹脂からなる軟質部５０６を有している。アングル部材５（横側アングル部材５１、５２）の差し込み部５０２は、この軟質部５０６により、金属からなる上側挿入溝部２６１及び下側挿入溝部２６２内に圧入状態で挿入され、上側挿入溝部２６１及び下側挿入溝部２６２との嵌合状態が保持されるようになっている（図３、図４参照）。
【００３１】
ここで、アングル部材５を挿入溝部２６に嵌合させた状態を図９Ａ、図９Ｂに示す。図９Ａは、アングル部材５を挿入溝部２６に嵌合させた状態の樹脂上横枠２１２と樹脂縦枠２４２との交差部位を拡大して示す図であり、図９Ｂは、アングル部材５を挿入溝部２６に嵌合させた状態の樹脂下横枠２２２と樹脂縦枠２３２との交差部位を拡大して示す図である。建具１の樹脂上横枠２１２と樹脂縦枠２３２との交差部位及び樹脂下横枠２２２と樹脂縦枠２４２との交差部位も同様に現れるため図示を省略する。
図９Ａ、図９Ｂに示すように、挿入溝部２６に嵌合した状態の隣り合う横側アングル部材５１、５２と縦側アングル部材５３、５４との端部５ａ、５ａ同士は接触しておらず、両者間に所定の隙間Ｓをあけて配置されている。このため、端部５ａ、５ａ同士が干渉し合って取り付け作業を行い難くなるようなことがない。また、熱の影響により横側アングル部材５１、５２及び縦側アングル部材５３、５４に長手方向の伸びが生じるようなことがあっても、端部５ａ、５ａ同士が接触して干渉し合うことが避けられる。
【００３２】
コーナー部材６は、図６Ａ、図６Ｂに示すように、枠体２の屋内側に取り付けられた横側アングル部材５１、５２と縦側アングル部材５３、５４との間のコーナー部に亘って取り付けられている。コーナー部材６は、横側アングル部材５１、５２の端部５ａと縦側アングル部材５３、５４の端部５ａとの間を覆うと同時に、横側アングル部材５１、５２の端部５ａと縦側アングル部材５３、５４の端部５ａとを額縁部材Ｇに固定する機能を有している。
【００３３】
コーナー部材６は、横側アングル部材５１、５２の端部５ａと縦側アングル部材５３、５４の端部５ａとを額縁部材Ｇに取り付けるための基部６１と、この基部６１に対して覆うように嵌合するカバー部６２と、を備えている。
【００３４】
このコーナー部材６の基部６１の構成の詳細を図１０Ａ、図１０Ｂ及び図１１に示す。図１０Ａは、コーナー部材６の基部６１を表面側から見た斜視図であり、図１０Ｂは、コーナー部材６の基部６１を裏面側から見た斜視図である。図１１は、図１０Ａ中のＡ−Ａ線に沿う断面図である。
基部６１は、第１部分６１１と、第２部分６１２と、第１部分６１１及び第２部分６１２とを連結する連結部６１３と、を備えている。
【００３５】
第１部分６１１及び第２部分６１２は、アングル部材本体５０１の幅と同程度の幅を有する矩形状の板状部材であり、連結部６１３を境にして対称形状を有している。第１部分６１１は、隣り合う横側アングル部材５１、５２と縦側アングル部材５３、５４とのうちの一方の端部５ａに対して、その表面５ｃ側から当接する部位である。また、第２部分６１２は、隣り合う横側アングル部材５１、５２と縦側アングル部材５３、５４とのうちの他方の端部５ａに対して、その表面５ｃ側から当接する部位である。
【００３６】
第１部分６１１及び第２部分６１２には、それぞれネジ穴６１４が形成されている。各ネジ穴６１４の周囲には、第１部分６１１及び第２部分６１２の表面６１１ａ、６１２ａから窪んだ環状の座面６１５がそれぞれ形成されている。これら２つの座面６１５は、第１部分６１１の表面６１１ａ及び第２部分６１２の表面６１２ａに対して、互いに相反する方向（連結部６１３に向かう方向とは反対の方向、図１１における左右方向）に傾斜するように設けられている。
【００３７】
第１部分６１１及び第２部分６１２の裏面６１１ｂ、６１２ｂには、それぞれネジ穴６１４の近傍から互いに近接する方向（連結部６１３に向かう方向）に延びる係合突起６１６が形成されている。係合突起６１６は、隣り合う横側アングル部材５１、５２と縦側アングル部材５３、５４のそれぞれの切り欠き部５０３と係合可能な形状に形成されている。
【００３８】
なお、この基部６１において、上記のネジ穴６１４、座面６１５及び係合突起６１６は、アングル部材５の切り欠き部５０３と同様に、第１部分６１１及び第２部分６１２の幅方向の中央部よりも一方側（屋内側）に偏って配置されている。
【００３９】
第１部分６１１及び第２部分６１２の裏面６１１ｂ、６１２ｂには、それぞれの相反する端部（連結部６１３側とは反対側の端部）に、第１の係合溝部６１７が１つずつ形成されていると共に、第１部分６１１及び第２部分６１２の両側部に、第２の係合溝部６１８が２つずつ形成されている。第１の係合溝部６１７は、後述するカバー部６２の突板部６２７と係合可能な部位であり、第２の係合溝部６１８は、後述するカバー部６２の一対の突起部６２６と係合可能な部位である。
【００４０】
第１部分６１１、第２部分６１２及び連結部６１３は、例えば塩化ビニル等の樹脂によって一体に成形されているが、連結部６１３は、第１部分６１１及び第２部分６１２に比較して薄肉で軟質の帯状に形成されている。このため、連結部６１３は、第１部分６１１と第２部分６１２とを任意の角度で折り曲げ可能であり、本実施形態のように枠体２の縦横が直交する窓形状に限らず、例えば台形窓等のように、枠体の縦横が直角以外の角度で交差する窓形状であっても、その角度に応じて第１部分６１１と第２部分６１２を容易に折り曲げることができる。
【００４１】
次に、コーナー部材６のカバー部６２の構成の詳細を図１２〜図１５に示す。図１２は、カバー部６２を屋内側且つ表面側から見た斜視図である。図１３は、図１２に示すカバー部をＢ方向から見た拡大図である。図１４は、図１２に示すカバー部をＣ方向から見た拡大図である。図１５は、図１４中のＤ−Ｄ線に沿う断面図である。
カバー部６２は、基部６１の第１部分６１１と第２部分６１２とのうちの一方を覆う大きさに形成される矩形状の第１カバー部６２１と、基部６１の第１部分６１１と第２部分６１２とのうちの他方を覆う大きさに形成される矩形状の第２カバー部６２２と、を備えている。第１カバー部６２１と第２カバー部６２２とは、Ｌ字型に直交するように一体に連結されている。このカバー部６２は、基部６１と同様の樹脂によって、第１部分６１１及び第２部分６１２と同程度の硬度に成形されている。
【００４２】
カバー部６２の両側面には、第１カバー部６２１と第２カバー部６２２とに亘ってＬ字型に形成された屋内側側面板６２３と屋外側側面板６２４とが一体に形成されている。このうちの屋内側側面板６２３は、屋外側側面板６２４に比べて幅広に形成され、横側アングル部材５１、５２及び縦側アングル部材５３、５４の各屋内側側面５ｂを覆うように構成されている（図６Ａ、図６Ｂ参照）。一方、屋外側側面板６２４は、アングル部材５の表面５ｃに当接するように構成されている（図１９Ａ、図１９Ｂ参照）。
【００４３】
第１カバー部６２１と第２カバー部６２２の裏面側には、屋内側側面板６２３と屋外側側面板６２４との端部同士を連結する傾斜壁部６２５がそれぞれ形成されている。屋内側側面板６２３は、第１カバー部６２１から第２カバー部６２２の全長に亘って形成されているのに対し、屋外側側面板６２４は、第１カバー部６２１と第２カバー部６２２の両端まで届いておらず、屋内側側面板６２３の全長よりも僅かに短く形成されている。このため、第１カバー部６２１に配置される傾斜壁部６２５は、屋内側よりも屋外側が第２カバー部６２２側に近寄って位置し、第２カバー部６２２に配置される傾斜壁部６２５は、屋内側よりも屋外側が第１カバー部６２１側に近寄って位置している。従って、いずれの傾斜壁部６２５も、屋内側側面板６２３とのなす角度が９０°未満の鋭角とされ、屋外側側面板６２４とのなす角度が９０°を超える鈍角とされている。
【００４４】
屋内側側面板６２３及び屋外側側面板６２４の第１カバー部６２１側に配置される部位には、それぞれ内側に向けて突出する一対の突起部６２６、６２６が一体に形成されている。また、第２カバー部６２２に配置される傾斜壁部６２５の中央縁部には、内側に向けて突出する１つの突板部６２７が一体に形成されている。突起部６２６は、基部６１の第１部分６１１と第２部分６１２とのうちのいずれか一方の第１の係合溝部６１７と係合可能な部位であり、突板部６２７は、基部６１の第１部分６１１と第２部分６１２とのうちのいずれか他方の第２の係合溝部６１８と係合可能な部位である。
【００４５】
次に、このコーナー部材６を用いて横側アングル部材５１、５２と縦側アングル部材５３、５４とを額縁部材Ｇに取り付ける方法について、図１６〜図１８を用いて説明する。図１６は、隣り合う横側アングル部材５２と縦側アングル部材５３とをコーナー部材６を用いて取り付ける様子を示す図である。図１７は、コーナー部材６の基部６１を額縁部材Ｇにネジ留めした状態を示す断面図である。図１８は、枠体２の四隅の基部６１にそれぞれカバー部６２を嵌合させる様子を屋内側から見た図である。
先ず、隣り合う横側アングル部材５２の端部５ａと縦側アングル部材５３の端部５ａとに亘って、基部６１を取り付ける。
【００４６】
即ち、縦側アングル部材５３の切り欠き部５０３に、基部６１の第１部分６１１の係合突起６１６を係合させると共に、横側アングル部材５２の切り欠き部５０３に、基部６１の第２部分６１２の係合突起６１６を係合させ、第１部分６１１と第２部分６１２を縦側アングル部材５３と横側アングル部材５２の表面５ｃにそれぞれ当接させる。このとき、係合突起６１６は、縦側アングル部材５３と横側アングル部材５２との長手方向の伸び移動を許容し得るように、切り欠き部５０３に対して長手方向の伸び代を残して緩く装着されることが望ましい。切り欠き部５０３及び係合突起６１６は、いずれも屋内側に偏って配置されているため、基部６１を取り付ける際の第１部分６１１及び第２部分６１２の向きは自ずと決められ、誤装着のおそれはない。
【００４７】
連結部６１３は、第１部分６１１と第２部分６１２とを折り曲げ可能に連結しているため、第１部分６１１と第２部分６１２を直角に容易に折り曲げることができる。折り曲げられた連結部６１３は、横側アングル部材５２と縦側アングル部材５３との間の隙間Ｓに収容される。
【００４８】
次いで、基部６１の第１部分６１１及び第２部分６１２のそれぞれのネジ穴６１４にネジ６００を挿入し、第１部分６１１及び第２部分６１２を額縁部材Ｇにネジ留めする。これにより、横側アングル部材５２と縦側アングル部材５３のそれぞれの端部５ａ、５ａが、基部６１を介して額縁部材Ｇに固定される。
【００４９】
このとき、各ネジ穴６１４の周囲の座面６１５は、互いに相反する方向に傾斜しているため、図１７に示すように、ネジ６００の挿入方向は、それぞれ内側の連結部６１３側（コーナー部側）に向けて傾斜した方向となる。このため、電動ドライバー等の工具を使用する際、隣り合う横側アングル部材５２又は縦側アングル部材５３や額縁部材Ｇと工具とが干渉し難くなり、基部６１の取り付けを行い易くすることができると共に、基部６１及びカバー部６２を可及的に小型化することができる。また、横側アングル部材５２と縦側アングル部材５３の切り欠き部５０３及び基部６１のネジ穴６１４は、いずれも屋内側に偏って配置されているため、額縁部材Ｇの屋外側縁部Ｇ１から屋内側に離れた位置にネジ６００が挿入される。このため、ネジ６００による屋外側縁部Ｇ１の欠けや割れ等の発生を回避できる。
【００５０】
他の隣り合う横側アングル部材５２と縦側アングル部材５４との間、横側アングル部材５１と縦側アングル部材５３との間及び横側アングル部材５１と縦側アングル部材５４との間も、上記と同様にしてそれぞれ基部６１が取り付けられる。
【００５１】
次いで、基部６１にカバー部６２を嵌合させて取り付ける。カバー部６２の取り付けは、図１６に示すように、カバー部６２の屋内側側面板６２３が屋内側に配置され、第２カバー部６２２が横側アングル部材５２の表面５ｃに配置される態勢で、基部６１の第１部分６１１に向けて移動させることにより行う。これにより、カバー部６２の第１カバー部６２１が、基部６１の第１部分６１１に対して覆うように嵌合すると共に、第２カバー部６２２が、基部６１の第２部分６１２に対して覆うように嵌合する。このとき、第２カバー部６２２の突板部６２７が、基部６１の第２部分６１２に配置される第１の係合溝部６１７内に挿入されて係合すると同時に、第１カバー部６２１の突起部６２６が、基部６１の第１部分６１１に配置される第２の係合溝部６１８に弾性的に嵌まり込んで係合する。
【００５２】
他の隣り合う横側アングル部材５２と縦側アングル部材５４との間、横側アングル部材５１と縦側アングル部材５３との間及び横側アングル部材５１と縦側アングル部材５４との間の各基部６１にも、上記と同様にしてそれぞれカバー部６２が取り付けられる。カバー部６２の屋内側側面板６２３は常に屋内側に配置されるため、図１８に示すように、突板部６２７を有する第２カバー部６２２側が、縦側アングル部材５４、縦側アングル部材５３及び横側アングル部材５１の各表面５ｃにそれぞれ配置された態勢で、カバー部６２を矢印に示すように基部６１に向けて移動させることにより取り付けられる。
【００５３】
これにより構成される建具１は、各アングル部材５の四隅の隙間Ｓ及び基部６１がカバー部６２によって覆われ、基部６１をネジ留めしているネジ６００の頭部が目視されることはない。全てのアングル部材５は、基部６１の第１部分６１１及び第２部分６１２を介して額縁部材Ｇに固定されるため、コーナー部材６、６間のアングル部材５の表面５ｃに固定用ネジの頭部が露出することがなく、アングル部材５の見栄えが良好となり、建具１の意匠性が、より向上する。また、アングル部材５は枠体２と別体であるため、建具１は、建物の躯体に取り付ける前の枠体２からアングル部材５を取り外しておくことができる。これにより、枠体２を収納する際にコンパクトに重ねることが可能となる。
【００５４】
ここで、下横枠２２側に配置される２つのコーナー部材６におけるカバー部６２の傾斜壁部６２５の作用について、図１９Ａ、図１９Ｂを用いて説明する。図１９Ａは、下横枠２２側に配置される横側アングル部材５２と縦側アングル部材５３との間に配置されるコーナー部材６のカバー部６２を示す図であり、図１９Ｂは、下横枠２２側に配置される横側アングル部材５２と縦側アングル部材５４との間に配置されるコーナー部材６のカバー部６２を示す図である。
これら下横枠２２側に配置される２つのコーナー部材６において、縦側アングル部材５３、５４と当接する第１カバー部６２１及び第２カバー部６２２の各傾斜壁部６２５は、いずれも屋外側に向けて下り傾斜する。これにより、縦側アングル部材５３、５４の表面に発生した結露水が傾斜壁部６２５まで流下した際、図中矢印で示すように、結露水は傾斜壁部６２５の傾斜に沿って屋外側に排水され、屋内側に流れ出すことはない。このため、屋内側の額縁部材Ｇの表面が結露水によって汚染されるおそれはない。
【００５５】
以上の実施形態は、アングル部材５の端部５ａに切り欠き部５０３を形成した例を挙げたが、この切り欠き部５０３に代えて、図２０に示すように、長手方向に沿って長い長穴５０７を形成してもよい。長穴５０７の長手方向に沿う長さは、係合突起６１６の長さよりも長く形成される。これにより、長穴５０７と係合突起６１６との間に、アングル部材５の長手方向の伸縮移動を許容する程度の隙間が形成可能であるため、アングル部材５の長手方向の伸縮移動が係合突起６１６によって阻害されるおそれはない。
【００５６】
また、以上の実施形態は、アングル部材５が差し込み部５０２を有し、この差し込み部５０２が、枠体２に形成された挿入溝部２６内に挿入されることによって、アングル部材５が枠体２に取り付けられる例を挙げたが、これに限定されない。図２１に示すように、アングル部材５が挿入溝部５０８を有し、枠体２が、額縁部材Ｇの厚み方向に延びる差し込み部２０１を有してもよい。この場合は、アングル部材５の挿入溝部５０８内に枠体２の差し込み部２０１を挿入することによって、アングル部材５が枠体２に取り付けられる。アングル部材５には、風雨の浸入を阻止するためのヒレ部５０９を屋外側の側縁部に設ける構成とすることもできる。建具１の全てのアングル部材５が、図２１に示すアングル部材５により構成されてもよいし、差し込み部５０２を有するアングル部材５と、挿入溝部５０８を有するアングル部材５とが、同じ建具１に併用されてもよい。
【００５７】
本発明に係る建具１は、以上の実施形態に示した開き窓に限らず、引き違い窓等の他の窓構造にも同様に適用することができる。
【符号の説明】
【００５８】
１  建具
２  枠体
２１  上横枠
２２  下横枠
２３、２４  縦枠
２６、５０８  挿入溝部
５  アングル部材
５ａ  アングル部材の端部
５ｃ  アングル部材の表面
５１、５２  横側アングル部材
５３、５４  縦側アングル部材
５０２、２０１  差し込み部
５０３  切り欠き部
５０７  長穴
６  コーナー部材
６１  基部
６１１  第１部分
６１２  第２部分
６１１ｂ、６１２ｂ  基部の裏面
６１３  連結部
６１４  ネジ穴
６１５  座面
６１６  係合突起
６２  カバー部
６２５  傾斜壁部
Ｇ  額縁部材（躯体）
Ｓ  隙間
【図１】
2019178535.tif 000003
【図２】
2019178535.tif 000004
【図３】
2019178535.tif 000005
【図４】
2019178535.tif 000006
【図５】
2019178535.tif 000007
【図６Ａ】
2019178535.tif 000008
【図６Ｂ】
2019178535.tif 000009
【図７】
2019178535.tif 000010
【図８Ａ】
2019178535.tif 000011
【図８Ｂ】
2019178535.tif 000012
【図９Ａ】
2019178535.tif 000013
【図９Ｂ】
2019178535.tif 000014
【図１０Ａ】
2019178535.tif 000015
【図１０Ｂ】
2019178535.tif 000016
【図１１】
2019178535.tif 000017
【図１２】
2019178535.tif 000018
【図１３】
2019178535.tif 000019
【図１４】
2019178535.tif 000020
【図１５】
2019178535.tif 000021
【図１６】
2019178535.tif 000022
【図１７】
2019178535.tif 000023
【図１８】
2019178535.tif 000024
【図１９Ａ】
2019178535.tif 000025
【図１９Ｂ】
2019178535.tif 000026
【図２０】
2019178535.tif 000027
【図２１】
2019178535.tif 000028